(57)【特許請求の範囲】
【請求項１】
可撓性を有する媒体に当接し、駆動力が伝達されたときに回転して当該媒体を搬送路に沿って搬送する第１ローラと、
前記第１ローラにより搬送された前記媒体に当接し、回転により当該媒体を前記搬送路に沿って搬送する第２ローラと、
所定の駆動力源から伝達される駆動力により回転し、所定の伝達位置において前記第１ローラに前記駆動力を伝達する回転伝達部と、
前記回転伝達部を前記伝達位置に付勢する付勢部と、
前記媒体が前記第１ローラ及び前記第２ローラの間で撓みを生じた場合に、前記媒体の撓みに応じて前記回転伝達部を前記伝達位置から移動させ、前記駆動力の伝達を解除させる伝達解除部と
を具え、
前記伝達解除部は、前記媒体が前記第１ローラ及び前記第２ローラの間で撓みを生じた場合に、前記媒体の撓んだ部分が前記搬送路から離れる方向へ向かう力により、前記付勢に反して前記回転伝達部を前記伝達位置から移動させる
ことを特徴とする媒体搬送装置。
【請求項２】
前記付勢部は、重力により前記回転伝達部を前記伝達位置へ付勢する
ことを特徴とする請求項１に記載の媒体搬送装置。
【請求項３】
可撓性を有する媒体に当接し、駆動力が伝達されたときに回転して当該媒体を搬送路に沿って搬送する第１ローラと、
前記第１ローラにより搬送された前記媒体に当接し、回転により当該媒体を前記搬送路に沿って搬送する第２ローラと、
所定の駆動力源から伝達される駆動力により回転し、所定の伝達位置において前記第１ローラに前記駆動力を伝達する回転伝達部と、
前記媒体が前記第１ローラ及び前記第２ローラの間で撓みを生じた場合に、前記媒体の撓みに応じて前記回転伝達部を前記伝達位置から移動させ、前記駆動力の伝達を解除させる伝達解除部と
を具え、
前記回転伝達部は、前記第１ローラ及び前記第２ローラにそれぞれ設けられた歯車部分とそれぞれ噛み合う歯車部分を有し、
前記伝達解除部は、前記回転伝達部に取り付けられ、前記歯車部分と中心軸を共有し当該歯車部分よりも径が大きい円板である
ことを特徴とする媒体搬送装置。
【請求項４】
可撓性を有する媒体に当接し、駆動力が伝達されたときに回転して当該媒体を搬送路に沿って搬送する第１ローラと、
前記第１ローラにより搬送された前記媒体に当接し、回転により当該媒体を前記搬送路に沿って搬送する第２ローラと、
所定の駆動力源から伝達される駆動力により回転し、所定の伝達位置において前記第１ローラに前記駆動力を伝達する回転伝達部と、
前記媒体が前記第１ローラ及び前記第２ローラの間で撓みを生じた場合に、前記媒体の撓みに応じて前記回転伝達部を前記伝達位置から移動させ、前記駆動力の伝達を解除させる伝達解除部と
を具え、
前記回転伝達部は、前記第１ローラ及び前記第２ローラにそれぞれ設けられた歯車部分とそれぞれ噛み合う歯車部分を有し、
前記伝達解除部は、前記回転伝達部を回転可能に保持しながら当該回転伝達部と共に移動し、当該回転伝達部よりも前記搬送路に近い箇所に設けた当接部を前記媒体の撓んだ部分に当接させる
ことを特徴とする媒体搬送装置。
【請求項５】
可撓性を有する媒体に当接し、駆動力が伝達されたときに回転して当該媒体を搬送路に沿って搬送する第１ローラと、
前記第１ローラにより搬送された前記媒体に当接し、回転により当該媒体を前記搬送路に沿って搬送する第２ローラと、
所定の駆動力源から伝達される駆動力により回転し、所定の伝達位置において前記第１ローラに前記駆動力を伝達する回転伝達部と、
前記媒体が前記第１ローラ及び前記第２ローラの間で撓みを生じた場合に、前記媒体の撓みに応じて前記回転伝達部を前記伝達位置から移動させ、前記駆動力の伝達を解除させる伝達解除部と
を具え、
前記回転伝達部は、前記伝達位置にあるときに、その回転中心を、前記搬送路に対して、前記第１ローラの回転中心と前記第２ローラの回転中心とを結ぶ仮想的な直線よりも遠方に位置させる
ことを特徴とする媒体搬送装置。
【請求項６】
前記回転伝達部は、前記第２ローラから前記駆動力が伝達される
ことを特徴とする請求項１ないし５の何れかに記載の媒体搬送装置。
【請求項７】
前記第２ローラと同軸で回転可能に構成された揺動体と、
当該揺動体に設けられ前記回転伝達部を回転可能に支持する回転支持部と
をさらに具え、
前記回転伝達部は、前記第２ローラから前記回転伝達部に伝達される前記駆動力により前記伝達位置に付勢される
ことを特徴とする請求項１、２、３又は５の何れかに記載の媒体搬送装置。
【請求項８】
前記回転支持部に固定された固定部と、
前記回転伝達部を前記固定部に付勢して摩擦力を作用させる摩擦作用部と
をさらに具えることを特徴とする請求項７に記載の媒体搬送装置。
【請求項９】
前記媒体が前記搬送路に対し前記回転伝達部と反対側へ撓むことを防止する媒体ガイド
をさらに具えることを特徴とする請求項１ないし８の何れかに記載の媒体搬送装置。
【請求項１０】
前記媒体に画像を形成する画像形成部と、請求項１ないし９の何れかに記載の媒体搬送装置を具えることを特徴とする画像形成装置。
【発明の詳細な説明】
【技術分野】
【０００１】
本発明は媒体搬送装置及び画像形成装置に関し、例えば、電子写真式プリンタ（以下、これをプリンタとも呼ぶ）に適用して好適なものである。
【背景技術】
【０００２】
従来、プリンタは、ＬＥＤヘッド等の露光装置によりトナー像を形成し、これを用紙等の媒体に転写し、さらに定着器によって用紙にトナー像を定着させることにより、この用紙の紙面に画像を形成するものが広く普及している。
【０００３】
このプリンタは、例えばその内部において、用紙カセットに用紙を集積した状態で収納しており、この用紙を搬送する搬送部により、用紙カセット、露光装置や定着器等を順次結ぶように搬送路を形成している。搬送部は、例えば紙幣を案内するガイドや、紙幣に駆動力を伝達するローラ等により構成されており、例えば紙幣の搬送路を挟んで互いに対向する２個のローラを一対のローラ対として、搬送路に沿って随所にこのローラ対を配置している（例えば、特許文献１参照）。
【０００４】
プリンタは、回転するローラ等により、用紙カセットの用紙を１枚ずつに分離して搬送部に引き渡し、この用紙を搬送部内の搬送路に沿ってローラ対同士の間を順次引き渡すようにして搬送する。
【先行技術文献】
【特許文献】
【０００５】
【特許文献１】特開２００６−８３４３号公報（第１図）
【発明の概要】
【発明が解決しようとする課題】
【０００６】
しかしながら、かかる構成のプリンタは、ローラの摩耗等により、搬送路の上流側に位置するローラ対よりも、その下流側に位置するローラ対の方が、搬送力が弱くなる場合がある。このような場合、プリンタは、上流のローラ対と下流のローラ対との間で用紙を撓ませてしまい、用紙に皺や折目を生じさせる恐れや、用紙を搬送路に詰まらせてしまう恐れがある、という問題があった。
【０００７】
本発明は以上の点を考慮してなされたもので、媒体を安定して搬送し得る媒体搬送装置及び画像形成装置を提案しようとするものである。
【課題を解決するための手段】
【０００８】
かかる課題を解決するため本発明の媒体搬送装置においては、可撓性を有する媒体に当接し、駆動力が伝達されたときに回転して当該媒体を搬送路に沿って搬送する第１ローラと、第１ローラにより搬送された媒体に当接し、回転により当該媒体を搬送路に沿って搬送する第２ローラと、所定の駆動力源から伝達される駆動力により回転し、所定の伝達位置において第１ローラに駆動力を伝達する回転伝達部と、回転伝達部を前記伝達位置に付勢する付勢部と、媒体が第１ローラ及び第２ローラの間で撓みを生じた場合に、媒体の撓みに応じて回転伝達部を伝達位置から移動させ、駆動力の伝達を解除させる伝達解除部とを設け、伝達解除部は、媒体が第１ローラ及び第２ローラの間で撓みを生じた場合に、媒体の撓んだ部分が搬送路から離れる方向へ向かう力により、付勢に反して回転伝達部を伝達位置から移動させるようにした。
また本発明の媒体搬送装置においては、可撓性を有する媒体に当接し、駆動力が伝達されたときに回転して当該媒体を搬送路に沿って搬送する第１ローラと、第１ローラにより搬送された媒体に当接し、回転により当該媒体を搬送路に沿って搬送する第２ローラと、所定の駆動力源から伝達される駆動力により回転し、所定の伝達位置において第１ローラに駆動力を伝達する回転伝達部と、媒体が第１ローラ及び第２ローラの間で撓みを生じた場合に、媒体の撓みに応じて回転伝達部を伝達位置から移動させ、駆動力の伝達を解除させる伝達解除部とを設け、回転伝達部は、第１ローラ及び第２ローラにそれぞれ設けられた歯車部分とそれぞれ噛み合う歯車部分を有し、伝達解除部は、回転伝達部に取り付けられ、歯車部分と中心軸を共有し当該歯車部分よりも径が大きい円板であるようにした。
さらに本発明の媒体搬送装置においては、可撓性を有する媒体に当接し、駆動力が伝達されたときに回転して当該媒体を搬送路に沿って搬送する第１ローラと、第１ローラにより搬送された媒体に当接し、回転により当該媒体を搬送路に沿って搬送する第２ローラと、所定の駆動力源から伝達される駆動力により回転し、所定の伝達位置において第１ローラに駆動力を伝達する回転伝達部と、媒体が第１ローラ及び第２ローラの間で撓みを生じた場合に、媒体の撓みに応じて回転伝達部を伝達位置から移動させ、駆動力の伝達を解除させる伝達解除部とを設け、回転伝達部は、第１ローラ及び第２ローラにそれぞれ設けられた歯車部分とそれぞれ噛み合う歯車部分を有し、伝達解除部は、回転伝達部を回転可能に保持しながら当該回転伝達部と共に移動し、当該回転伝達部よりも搬送路に近い箇所に設けた当接部を媒体の撓んだ部分に当接させるようにした。
さらに本発明の媒体搬送装置においては、可撓性を有する媒体に当接し、駆動力が伝達されたときに回転して当該媒体を搬送路に沿って搬送する第１ローラと、第１ローラにより搬送された媒体に当接し、回転により当該媒体を搬送路に沿って搬送する第２ローラと、所定の駆動力源から伝達される駆動力により回転し、所定の伝達位置において第１ローラに駆動力を伝達する回転伝達部と、媒体が第１ローラ及び第２ローラの間で撓みを生じた場合に、媒体の撓みに応じて回転伝達部を伝達位置から移動させ、駆動力の伝達を解除させる伝達解除部とを設け、回転伝達部は、伝達位置にあるときに、その回転中心を、搬送路に対して、第１ローラの回転中心と第２ローラの回転中心とを結ぶ仮想的な直線よりも遠方に位置させるようにした。
【０００９】
また本発明の画像形成装置においては、媒体に画像を形成する画像形成部と、上述した媒体搬送装置とを設けるようにした。
【００１０】
本発明では、媒体に撓みが生じた場合、この媒体の撓みに応じて回転伝達部を伝達位置から移動させ、第１ローラに対する駆動力の伝達を中断する一方、第２ローラによる搬送を継続することにより、媒体の撓みを解消させることができる。
【発明の効果】
【００１１】
本発明によれば、媒体を安定して搬送し得る媒体搬送装置及び画像形成装置を実現できる。
【図面の簡単な説明】
【００１２】
【図１】画像形成装置の構成を示す略線図である。
【図２】第１の実施の形態による用紙繰出部の構成を示す略線図である。
【図３】第１の実施の形態による用紙繰出部の構成を示す略線的斜視図である。
【図４】第１の実施の形態による駆動力の伝達中断を示す略線図である。
【図５】第２の実施の形態による用紙繰出部の構成を示す略線図である。
【図６】第２の実施の形態による用紙繰出部の構成を示す略線的斜視図である。
【図７】第２の実施の形態による駆動力の伝達中断を示す略線図である。
【図８】第３の実施の形態による用紙繰出部の構成を示す略線図である。
【図９】第３の実施の形態による用紙繰出部の構成を示す略線的斜視図である。
【図１０】第３の実施の形態による駆動力の伝達中断を示す略線図である。
【発明を実施するための形態】
【００１３】
以下、発明を実施するための形態（以下実施の形態とする）について、図面を用いて説明する。
【００１４】
［１．第１の実施の形態］
［１−１．カラープリンタの構成］
図１に左側面図を示すように、第１の実施の形態による画像形成装置１は、カラー用電子写真式プリンタであり、例えばＡ３サイズやＡ４サイズ等の大きさでなり可撓性を有する用紙Ｐに対し、所望のカラー画像を印刷するようになっている。
【００１５】
画像形成装置１は、略箱型に形成された筐体２の内部に種々の部品が配置されている。因みに以下では、図１における右端部分を画像形成装置１の正面とし、この正面と対峙して見た場合の上下方向、左右方向及び前後方向をそれぞれ定義した上で説明する。
【００１６】
この画像形成装置１は、図示しない制御部により全体を統括制御する。制御部は、図示しない通信処理部を介して、パーソナルコンピュータのような上位装置（図示せず）と無線又は有線により接続されている。また制御部は、上位装置から印刷対象のカラー画像を表す画像データが与えられると共に当該カラー画像の印刷が指示されると、用紙Ｐの紙面に印刷画像を形成する印刷処理を実行する。
【００１７】
筐体２内の最下部には、用紙Ｐを収容する給紙カセット３が設けられている。給紙カセット３は、例えば中空の直方体状に形成されており、上面が開放されている。また給紙カセット３の底部分のうち前側の約６０〜７０％の範囲には、用紙載置板３Ｂが設けられている。用紙載置板３Ｂの後端部分は、回動軸３Ｘを介して給紙カセット３に対し回動可能に取り付けられている。この給紙カセット３には、多数の用紙Ｐが集積された状態で収納される。
【００１８】
給紙カセット３の前側には、リフト部４が設けられている。リフト部４は、駆動力を発生するモータ４Ｍと、リフトレバー４Ｌとを有している。リフトレバー４Ｌは、その後端を用紙載置板３Ｂの前端近傍の下側に位置させており、またその前端に設けられた回動軸４ＬＸを中心に回動可能に構成されている。このリフト部４は、制御部からの制御に基づき、モータ４Ｍを回転させて駆動力を発生させ、その駆動力を所定のギヤ（図示せず）によりリフトレバー４Ｌに伝達し、その後端を上方へ持ち上げるように回動させる。これによりリフト部４は、用紙載置板３Ｂの前端部分を持ち上げ、その上側に載置されている用紙Ｐの前端も同様に持ち上げることができる。
【００１９】
給紙カセット３の前上方には、用紙繰出部５が設けられている。用紙繰出部５は、複数のローラ等により構成されており、給紙カセット３に収納されている用紙Ｐのうち最上面の１枚のみを他の用紙Ｐから分離し、前斜め上方へ繰り出すようになっている（詳しくは後述する）。
【００２０】
用紙繰出部５の前側ないし上側には、用紙Ｐを搬送する下搬送部６が設けられている。下搬送部６は、用紙Ｐを案内するガイドにより、用紙繰出部５から引き渡される用紙Ｐを前上方へ進行させ、やがて後方向へ折り返すような搬送路を形成している。また下搬送部６には、搬送路を挟んで対向する２個の搬送ローラでなる搬送ローラ対６Ｒが設けられている。この搬送ローラ対６Ｒは、図示しないモータから駆動力が供給されることにより所定方向へ回転し、搬送路に沿って用紙Ｐを上方へ搬送することにより、この用紙Ｐを中搬送部７へ引き渡す。
【００２１】
中搬送部７は、下搬送部６と同様に用紙Ｐを案内するガイド及び複数のローラ対により構成されている。この中搬送部７は、用紙Ｐの搬送路を、筐体２内を前後方向に横切るような直線状に形成している。また中搬送部７における前後の中央よりもやや後側には、転写部１０が設けられている。
【００２２】
中搬送部７の前側には、筐体２の前側面から前方へ突出した位置に、多目的トレイ８が設けられている。多目的トレイ８は、板面を上下方向に向けた板状に形成されており、その上面に用紙Ｐが載置される。多目的トレイ８の後端近傍には、多目的繰出部９が設けられている。多目的繰出部９は、用紙繰出部５と同様に構成されており、多目的トレイ８に載置された用紙Ｐを１枚ずつに分離して繰り出し、後方の中搬送部７へ引き渡すようになっている。この多目的トレイ８は、例えば使用頻度の低い大きさや種類の用紙Ｐを給紙する場合に利用される。
【００２３】
中搬送部７の上方には、画像形成部１１が設けられている。画像形成部１１は、イエロー（Ｙ）、マゼンタ（Ｍ）、シアン（Ｃ）及びブラック（Ｋ）の各色の画像を形成する４個のプロセスユニット１１Ｙ、１１Ｍ、１１Ｃ及び１１Ｋを有している。
【００２４】
画像形成部１１と中搬送部７との間には、幅広の無端ベルトでなる中間転写ベルト１２を走行させるベルト走行部１３が設けられている。このベルト走行部１３は、複数のローラの周囲に中間転写ベルト１２を張架させており、その上側部分において、各プロセスユニット１１Ｙ、１１Ｍ、１１Ｃ及び１１Ｋのローラと当該中間転写ベルト１２とを当接させ、また下側部分において、転写部１０内で当該中間転写ベルト１２を用紙Ｐの搬送路に当接させている。
【００２５】
画像形成部１１の各プロセスユニット１１Ｙ、１１Ｍ、１１Ｃ及び１１Ｋは、それぞれ制御部から画像データが供給されると、この画像データに応じたトナー像を形成する。ベルト走行部１３は、中間転写ベルト１２を走行させることにより、各プロセスユニット１１Ｙ、１１Ｍ、１１Ｃ及び１１Ｋにより形成された各色のトナー像を中間転写ベルト１２に順次転写し、この転写されたトナー像を転写部１０まで進行させる。転写部１０は、トナー像を中間転写ベルト１２から用紙Ｐに転写させる。
【００２６】
中搬送部７は、トナー像が転写された用紙Ｐを後方へ搬送し、定着部１４内へ進行させる。定着部１４は、搬送路の上下に配置された一対のローラを所定方向へ回転させながら、用紙Ｐ及びトナーに熱及び圧力を加えることにより、トナーを用紙Ｐに定着させ、この用紙Ｐをさらに後方へ進行させる。これにより用紙Ｐには、画像データに基づいた画像が形成される。
【００２７】
定着部１４の後方ないし上方には、上搬送部１５が設けられている。上搬送部１５は、下搬送部６及び中搬送部７と同様に、用紙Ｐを案内するガイド及び複数のローラ対により構成されている。この上搬送部１５は、下端において前側の定着部１４から引き渡される用紙Ｐを上方へ進行させ、やがてその上端近傍で前方向へ送り出すような搬送路を形成している。また上搬送部１５の上端における前側であって、筐体２の上面には、画像が形成された用紙Ｐを集積（スタック）するスタッカ部１６が設けられている。この上搬送部１５は、定着部１４から引き渡される用紙Ｐを搬送路に沿って上方へ搬送し、前方へ放出することにより、当該用紙Ｐをスタッカ部１６に集積させる。
【００２８】
このようにして画像形成装置１は、給紙カセット３に収納されている用紙Ｐを用紙繰出部５により繰り出し、下搬送部６、中搬送部７及び上搬送部１５により順次搬送しながら、トナー画像の転写及び定着を行うことで、当該用紙Ｐに画像を形成するようになっている。
【００２９】
［１−２．用紙繰出部の構成］
次に、用紙繰出部５の構成について説明する。図２（Ａ）に模式的な左側面図を示すように、用紙繰出部５は、ピックアップローラ２１、フィードローラ２２及びリタードローラ２３といった複数のローラ、フレーム２４、支持アーム２５、アイドルギヤ２６並びに用紙ガイド２７により構成されている。
【００３０】
第１ローラとしてのピックアップローラ２１は、図３に斜視図を示すように、中心軸を左右方向に向けた円筒状のローラ部２１Ｒと、当該ローラ部２１Ｒの右側に設けられた歯車状のギヤ部２１Ｇとにより構成されている。ローラ部２１Ｒの外周部分には、例えばゴムのように、用紙Ｐに対する摩擦係数が高い材料が用いられている。
【００３１】
またピックアップローラ２１には、ローラ部２１Ｒ及びギヤ部２１Ｇの中心を左右方向に貫通するような中心孔２１Ｈが穿設されている。中心孔２１Ｈには、筐体２（図１）により回転可能に支持されたシャフト２８が挿通される。これによりピックアップローラ２１は、ローラ部２１Ｒの下端近傍を用紙Ｐの搬送路に当接させる位置において、回転可能に支持される。
【００３２】
かかる構成によりピックアップローラ２１は、ギヤ部２１Ｇに噛み合う他のギヤから駆動力が伝達されるとシャフト２８を中心に回転し、この駆動力が伝達されなくなると回転を中止する。
【００３３】
第２ローラとしてのフィードローラ２２は、ピックアップローラ２１と同様、ローラ部２２Ｒ及びギヤ部２２Ｇにより構成されており、左右方向に貫通する中心孔２２Ｈが穿設されている。この中心孔２２Ｈには、シャフト２８と同様に筐体２により回転可能に支持されたシャフト２９が挿通される。これによりフィードローラ２２は、ピックアップローラ２１と同様、ローラ部２２Ｒの下端近傍を用紙Ｐの搬送路に当接させる位置において、回転可能に支持される。因みにシャフト２９は、シャフト２８の前上側に位置しており、ピックアップローラ２１及びフィードローラ２２を、互いに前後方向にやや離れた箇所に位置させる。またフィードローラ２２は、図示しないモータからギヤ部２２Ｇに対して駆動力が供給されている。このモータは、上述した制御部の制御に基づき、駆動力を発生する。
【００３４】
かかる構成によりフィードローラ２２は、モータからギヤ部２２Ｇに駆動力が伝達されると、シャフト２９を中心に回転し、またこのモータから駆動力が伝達されなくなると回転を中止する。さらにフィードローラ２２には、一方向へのみ自由に回転させ、反対方向への回転を規制するワンウェイクラッチ（図示せず）が内蔵されている。このためフィードローラ２２は、ギヤ部２２Ｇに対し駆動力が伝達されていない状態であっても、ローラ部２２Ｒに対し所定方向へ回転させるような外力が加えられた場合のみ、自在に空転することができる。
【００３５】
リタードローラ２３は、用紙Ｐの搬送路を挟んでフィードローラ２２と反対側に、すなわち当該フィードローラ２２の下方やや前寄りに位置している。このリタードローラ２３は、フィードローラ２２のローラ部２２Ｒと同様の円筒状に構成されたローラ部２３Ｒと、所定方向への回転トルクを発生させるトルク発生部２３Ｔ（図２（Ｂ））とにより構成されている。このトルク発生部２３Ｔは、図示しない取付部材により筐体２に取り付けられている。
【００３６】
このためリタードローラ２３は、制御部（図示せず）の制御に基づきトルク発生部２３Ｔにより回転トルクを発生させ、これをローラ部２３Ｒに伝達することにより、当該ローラ部２３Ｒを回転させる。
【００３７】
一方、フレーム２４は、筐体２（図１）に取り付けられており、ピックアップローラ２１及びフィードローラ２２の上側に位置している。このフレーム２４には、下方に向けて２本の支持アーム２５を、左右方向に所定の間隔を隔てて立設させている。各支持アーム２５は、全体として上下方向に長く左右方向に薄い板状に形成されている。この支持アーム２５における前後方向のほぼ中央には、上下方向に細長い長孔でなる挿通孔２５Ｈが左右方向に貫通するように形成されている。
【００３８】
アイドルギヤ２６は、歯車状のギヤ部２６Ｇと、ローラ部２６Ｒと、回転軸２６Ｘとにより構成されている。回転伝達部としてのギヤ部２６Ｇは、ピックアップローラ２１のギヤ部２１Ｇ及びフィードローラ２２のギヤ部２２Ｇと同様、中心軸を左右方向に向けた歯車として構成されている。ローラ部２６Ｒは、中心軸を左右方向に向けた薄い円板状に形成されており、ギヤ部２６Ｇの右側に、互いの中心軸を一致させるようにして隣接している。またローラ部２６Ｒの外径は、ギヤ部２６Ｇの外径よりも大きくなっている。回転軸２６Ｘは、やはり中心軸を左右方向に向けた、細長い円柱状に形成されており、ギヤ部２６Ｇ及びローラ部２６Ｒの中心を左右方向に貫通している。
【００３９】
このアイドルギヤ２６は、各挿通孔２５Ｈに回転軸２６Ｘの左右両側をそれぞれ挿通した状態で、２本の支持アーム２５の間に挟持されている。これによりアイドルギヤ２６は、回転軸２６Ｘを回転中心として、自在に回転することができる。これと共にアイドルギヤ２６は、回転軸２６Ｘを挿通孔２５Ｈに挿通させた範囲内で、上下方向に自在に移動することもできる。
【００４０】
各支持アーム２５は、ピックアップローラ２１が挿通されるシャフト２８及びフィードローラ２２が挿通されるシャフト２９のほぼ中間に、それぞれの挿通孔２５Ｈを位置させている。また各支持アーム２５は、アイドルギヤ２６を挟持したときに、ギヤ部２６Ｇの左右方向に関する位置を、ピックアップローラ２１のギヤ部２１Ｇ及びフィードローラ２２のギヤ部２２Ｇの双方とほぼ揃えている。
【００４１】
アイドルギヤ２６は、重力の作用により、回転軸２６Ｘが挿通孔２５Ｈに規制される範囲内で下降しようとする。この結果、アイドルギヤ２６は、図２（Ｂ）に示したように、ギヤ部２６Ｇをフィードローラ２２のギヤ部２２Ｇ及びピックアップローラ２１のギヤ部２１Ｇとそれぞれ噛み合わせ、駆動力を伝達し得る位置に止まる。以下、このときのアイドルギヤ２６の位置を伝達位置とも呼ぶ。因みに図２（Ｂ）は、図２（Ａ）からローラ部２１Ｒ及び２２Ｒと手前側（すなわち左側）の支持アーム２５とを省略した様子を表している。
【００４２】
またシャフト２８及び２９は、フィードローラ２２のギヤ部２２Ｇとピックアップローラ２１のギヤ部２１Ｇとの間隔を、アイドルギヤ２６におけるギヤ部２６Ｇの直径よりも小さくするよう、それぞれの位置が調整されている。具体的には、シャフト２８の中心点２８Ｑ及びシャフト２９の中心点２９Ｑを結ぶ仮想的な直線Ｌ１の長さが、アイドルギヤ２６におけるギヤ部２６Ｇの直径と、フィードローラ２２におけるギヤ部２２Ｇの半径と、ピックアップローラ２１におけるギヤ部２１Ｇの半径との加算値よりも小さくなっている。このためアイドルギヤ２６が伝達位置にある場合、回転軸２６Ｘの中心点２６Ｑは、中心点２８Ｑ及び中心点２９Ｑを結ぶ直線Ｌ１よりも上側に位置する。
【００４３】
用紙ガイド２７は、リタードローラ２３の後側に位置しており、その上端を用紙Ｐの搬送路よりも僅かに下側に位置させている。これにより用紙ガイド２７は、用紙Ｐが搬送路の下側に大きく外れて進行することを防止できる。
【００４４】
このように用紙繰出部５は、用紙Ｐの搬送路の近傍に複数のローラを配置しており、また支持アーム２５によりアイドルギヤ２６を自在に回転可能且つ上下方向へ移動し得るように支持している。
【００４５】
［１−３．アイドルギヤの噛み合い］
次に、用紙繰出部５における、アイドルギヤ２６のギヤ部２６Ｇと、フィードローラ２２のギヤ部２２Ｇ及びピックアップローラ２１のギヤ部２１Ｇとの噛み合いについて説明する。
【００４６】
図２（Ｂ）に示したように、アイドルギヤ２６は、伝達位置にあるときにギヤ部２６Ｇをフィードローラ２２のギヤ部２２Ｇ及びピックアップローラ２１のギヤ部２１Ｇの双方にそれぞれ噛み合わせている。このため用紙繰出部５は、図示しないモータからフィードローラ２２のギヤ部２２Ｇへ駆動力が伝達されると、この駆動力をギヤ部２６Ｇ及びギヤ部２１Ｇへ順次伝達する。
【００４７】
このとき用紙繰出部５は、図２（Ｂ）に示したように、フィードローラ２２を矢印Ｒ１方向へ回転させ、アイドルギヤ２６を矢印Ｒ２方向へ回転させ、さらにピックアップローラ２１を矢印Ｒ１方向へ回転させる。これにより用紙繰出部５は、用紙Ｐに対し、ピックアップローラ２１により前斜め上方向へ向かう力を加えることができ、さらにその下流側でフィードローラ２２により前斜め上方向へ向かう力を加えることができる。
【００４８】
ところで用紙繰出部５では、用紙Ｐを繰り出す際、上流側のピックアップローラ２１から用紙Ｐに加える搬送力よりも、下流側のフィードローラ２２から加える搬送力を同等以上とすることにより、当該用紙Ｐを撓ませることなく繰り出すことができる。以下、両搬送力をそれぞれ上流側搬送力及び下流側搬送力と呼ぶ。
【００４９】
しかしながら用紙繰出部５では、各ローラの摩耗や製造上の誤差等の要因により、下流側搬送力が上流側搬送力よりも小さくなる場合がある。このような場合、用紙繰出部５では、図２と対応する図４に示すように、ピックアップローラ２１との当接箇所とフィードローラ２２との当接箇所との間、すなわちアイドルギヤ２６の下側において、用紙Ｐに撓みが発生する場合がある。因みに用紙繰出部５では、用紙Ｐの搬送路の真下に用紙載置板３Ｂ及び用紙ガイド２７が位置しているため、搬送路の上側に撓みが形成される。
【００５０】
ここで用紙繰出部５では、図４（Ａ）に示すように、用紙Ｐの撓みがある程度大きくなると、当該用紙Ｐにおける撓み部分の上端がアイドルギヤ２６におけるローラ部２６Ｒの下端又はその近傍に当接し、当該アイドルギヤ２６に上方向へ向かう力を加える。このときアイドルギヤ２６は、回転軸２６Ｘが支持アーム２５の挿通孔２５Ｈに沿って上方向へ移動することにより、図４（Ｂ）に示すように、ギヤ部２６Ｇとピックアップローラ２１のギヤ部２１Ｇとの噛合を解除し、当該ギヤ部２１Ｇに対し駆動力を伝達しなくなる。
【００５１】
すなわち用紙繰出部５は、アイドルギヤ２６のローラ部２６Ｒ、回転軸２６Ｘ、支持アーム２５及び挿通孔２５Ｈ（以下これらをまとめて伝達解除部とも呼ぶ）により、用紙Ｐの撓みに応じて、ギヤ部２６Ｇからピックアップローラ２１のギヤ部２１Ｇへの駆動力の伝達を解除する。
【００５２】
そうするとピックアップローラ２１は、駆動力が伝達されなくなるために回転を止め、用紙Ｐに対し搬送力を加えなくなる。その一方でフィードローラ２２は、モータから駆動力が伝達され続けているため、矢印Ｒ１方向へ回転を継続し、用紙Ｐに対し搬送力を加え続ける。すなわち用紙繰出部５は、ピックアップローラ２１の回転を止める一方、フィードローラ２２を回転させ続けることで、用紙Ｐの撓みを縮小させていく。これに伴い用紙繰出部５は、用紙Ｐにより持ち上げられているアイドルギヤ２６を下降させ、伝達位置に近づけていく。
【００５３】
やがて用紙繰出部５は、用紙Ｐの撓みが十分に小さくなると、アイドルギヤ２６を伝達位置（図２）まで下降させ、ギヤ部２６Ｇをピックアップローラ２１のギヤ部２１Ｇに再び噛み合わせる。これにより用紙繰出部５は、ギヤ部２６Ｇからギヤ部２１Ｇへの駆動力の伝達を再開し、ピックアップローラ２１の回転を再開させる。
【００５４】
このように用紙繰出部５は、用紙Ｐに撓みが発生した場合、この用紙Ｐの撓み部分によってアイドルギヤ２６を伝達位置から持ち上げ、ギヤ部２６Ｇとピックアップローラ２１のギヤ部２１Ｇとの噛合を解除するようになっている。
【００５５】
［１−４．動作及び効果］
以上の構成において、第１の実施の形態による画像形成装置１の用紙繰出部５は、フィードローラ２２からピックアップローラ２１へ駆動力を伝達するアイドルギヤ２６を支持アーム２５により上下方向へ移動可能に保持し、伝達位置から持ち上げられた場合に、ピックアップローラ２１に対する駆動力の伝達を解除するようにした。
【００５６】
このため用紙繰出部５は、フィードローラ２２による下流側搬送力がピックアップローラ２１による上流側搬送力よりも小さくなり、用紙Ｐに撓みが生じると、この撓み部分によりアイドルギヤ２６を伝達位置から上方へ持ち上げさせ、ピックアップローラ２１への駆動力の伝達を中断することができる。
【００５７】
これにより用紙繰出部５は、上流側のピックアップローラ２１の回転を停止させる一方で下流側のフィードローラ２２を回転させ続けることができるので、用紙Ｐの撓みを解消していくことができる。やがて用紙繰出部５は、用紙Ｐの撓みが十分に小さくなると、アイドルギヤ２６が伝達位置に戻った時点で、ピックアップローラ２１に対する駆動力の伝達を再開して回転させることができる。
【００５８】
すなわち用紙繰出部５は、用紙Ｐに一時的に撓みが生じたとしても、これを随時解消することができるので、当該用紙Ｐの皺や折れ等の発生、或いは用紙Ｐの詰まり等を未然に回避でき、当該用紙Ｐを安定的に繰り出し、搬送することができる。この結果、画像形成装置１では、安定的に搬送される平滑な用紙Ｐに対し、高品質な画像を形成することができる。
【００５９】
これを換言すれば、用紙繰出部５は、用紙Ｐに生じた撓み部分が持つ剛性を利用してアイドルギヤ２６を一時的に持ち上げ、また降ろすことで、ピックアップローラ２１に駆動力を伝達するか否かを切り替えることができる。
【００６０】
このため用紙繰出部５は、例えば用紙Ｐの撓みを検出するセンサや、ピックアップローラ２１及びフィードローラ２２の回転速度をそれぞれ独立して調節するための複数のモータ等を用いて、各ローラの回転速度を制御して撓みを解消させるような機構と比較して、その構成を格段に簡素化でき、その動作を極めて単純化できる。
【００６１】
また用紙繰出部５は、アイドルギヤ２６が上下方向へ移動しない従来の構成と比較しても、支持アーム２５に長孔でなる挿通孔２５Ｈを設けると共に当該アイドルギヤ２６にローラ部２６Ｒを設けるだけで良いため、構成部品の変更や増加がごく僅かとなり、製造コストの上昇を極めて小さく抑えることができる。
【００６２】
さらに用紙繰出部５は、アイドルギヤ２６にギヤ部２６Ｇよりも径が大きいローラ部２６Ｒを設け、用紙Ｐの撓み部分をローラ部２６Ｒに当接させるようにした。このため用紙繰出部５は、用紙Ｐがギヤ部２６Ｇに当接することによる損傷や汚れの付着等を未然に回避できる。
【００６３】
さらに用紙繰出部５は、用紙Ｐが撓んだ際にアイドルギヤ２６を伝達位置から移動させる方向を上方向とした。これにより用紙繰出部５では、アイドルギヤ２６が持ち上げられた位置から伝達位置へ戻る際に、重力の作用を利用できるので、ばね等の付勢部材を用いる必要が無く、構成の複雑化を抑制できる。
【００６４】
これに加えて用紙繰出部５は、フィードローラ２２の回転方向を、矢印Ｒ１方向とした。すなわちフィードローラ２２は、後側に位置するアイドルギヤ２６の前側部分に対し、下方向へ向かう駆動力を伝達するようにした。このため用紙繰出部５は、用紙Ｐが撓んでアイドルギヤ２６が伝達位置から上方へ持ち上げられている場合にも、フィードローラ２２のギヤ部２２Ｇからアイドルギヤ２６のギヤ部２６Ｇにおける前側部分に対し、伝達位置へ戻る方向である下方向へ向かう駆動力を加えることができる。これにより用紙繰出部５は、アイドルギヤ２６が伝達位置から上方へ持ち上げられている場合に、当該アイドルギヤ２６を下降させる力として駆動力の一部を利用でき、上述した重力の作用と組み合わせることで、当該アイドルギヤ２６をより確実に伝達位置へ戻すことができる。
【００６５】
ところで用紙繰出部５は、フィードローラ２２のギヤ部２２Ｇにより、ギヤ部２６Ｇを介してアイドルギヤ２６に対し下方向へ向かう力を加え、下降させようとする。そこで用紙繰出部５は、シャフト２８及びシャフト２９の間隔を最適化することにより、アイドルギヤ２６が伝達位置にあるときに、中心点２８Ｑ及び２９Ｑを結ぶ仮想的な直線Ｌ１よりも上側に中心点２６Ｑを位置させるようにした（図２（Ｂ））。
【００６６】
このため用紙繰出部５は、フィードローラ２２のギヤ部２２Ｇ及びピックアップローラ２１のギヤ部２１Ｇにより、ギヤ部２６Ｇを前後の斜め下側から挟むようにして支持することができ、アイドルギヤ２６の伝達位置からの下降を抑止できる。これにより用紙繰出部５は、アイドルギヤ２６の中心点２６Ｑが直線Ｌ１よりも下降してしまった場合に生じ得る、フィードローラ２２のギヤ部２２Ｇからの駆動力によりギヤ部２６Ｇがピックアップローラ２１のギヤ部２１Ｇから離れて噛み合わず、駆動力を伝達できなくなる、といった問題の発生を構造的に回避できる。
【００６７】
さらに用紙繰出部５は、搬送路の真下に用紙載置板３Ｂ及び用紙ガイド２７を配置することで、用紙Ｐの撓みを搬送路の上側にのみ発生させるようにした。このため用紙繰出部５は、搬送路の下側に用紙Ｐが撓むことによる、アイドルギヤ２６のギヤ部２６Ｇとピックアップローラ２１のギヤ部２１Ｇとの噛合を解除できない、という問題の発生を確実に防止できる。
【００６８】
以上の構成によれば、第１の実施の形態による画像形成装置１の用紙繰出部５は、用紙Ｐに撓みが生じた場合、この撓み部分によりアイドルギヤ２６を伝達位置から上方へ持ち上げさせ、ピックアップローラ２１への駆動力の伝達を中断する。これにより用紙繰出部５は、上流側のピックアップローラ２１の回転を停止させると共に下流側のフィードローラ２２の回転を継続することで、用紙Ｐの撓みを解消させることができ、当該用紙Ｐの破損や詰まりを回避して安定的に繰り出すことができる。
【００６９】
［２．第２の実施の形態］
第２の実施の形態による画像形成装置１０１（図１）は、第１の実施の形態による画像形成装置１と比較して、用紙繰出部５に変わる用紙繰出部１０５を有する点において相違するものの、他の点については同様に構成されている。
【００７０】
［２−１．用紙繰出部の構成］
用紙繰出部１０５は、図２及び図３と対応する図５及び図６に示すように、用紙繰出部５と比較して、アイドルギヤ２６に代わるアイドルギヤ１２６を有する点、及び支持アーム２５に代わる揺動ホルダ１３１、ばね１３２及びストッパ１３３を有する点において相違するものの、他の点については同様に構成されている。因みに図６（Ａ）は各部品に分解した様子を表し、図６（Ｂ）及び（Ｃ）は各部品が組み立てられた状態を互いに異なる方向から見た様子をそれぞれ表している。
【００７１】
アイドルギヤ１２６は、アイドルギヤ２６と比較して、ローラ部２６Ｒ及びギヤ部２６Ｇとそれぞれ対応するローラ部１２６Ｒ及びギヤ部１２６Ｇを有している。その一方でアイドルギヤ１２６は、回転軸２６Ｘに代えて、左右方向に貫通する中心孔１２６Ｈが穿設されている。
【００７２】
揺動体としての揺動ホルダ１３１は、左右方向に薄い板状に形成された基部１３１Ｂを中心に構成されている。基部１３１Ｂは、左右方向から見て、前後方向を長手方向とする長円状に形成されている。基部１３１Ｂの前側には、左右方向に貫通する丸孔でなる孔部１３１Ｈが穿設されている。この孔部１３１Ｈは、シャフト２９が挿通される。すなわちシャフト２９には、右から順に揺動ホルダ１３１及びフィードローラ２２が挿通される。これにより揺動ホルダ１３１は、シャフト２９を中心として自在に回動することができる。
【００７３】
基部１３１Ｂの後側には、左側面から左方向に向けて、シャフト２９と同程度の径でなる円柱状の回転軸１３１Ｓが垂設されている。回転支持部としての回転軸１３１Ｓには、コイルスプリングでなるばね１３２及びアイドルギヤ１２６が挿通され、その左端近傍に固定部としてのストッパ１３３が取り付けられる。摩擦作用部としてのばね１３２は、自然状態から左右方向に圧縮された状態で挿通されており、その復元力により、基部１３１Ｂとアイドルギヤ１２６とを左右方向へ引き離すように付勢する。これによりアイドルギヤ１２６は、回転軸１３１Ｓを中心に自在に回転でき、且つ常にストッパ１３３に押し付けられた状態となる。すなわちアイドルギヤ１２６は、回転時にストッパ１３３との間である程度の摩擦力を生じることになる。
【００７４】
また基部１３１Ｂは、シャフト２９が挿通される孔部１３１Ｈとアイドルギヤ１２６が挿通される回転軸１３１Ｓとの間隔が適切に設定されている。これにより揺動ホルダ１３１は、図５（Ｂ）に示すように、フィードローラ２２のギヤ部２２Ｇと、アイドルギヤ１２６のギヤ部１２６Ｇとを常に噛み合わせた状態とする。
【００７５】
ここで揺動ホルダ１３１は、上述したように、シャフト２９を中心に回転することができ、図５（Ｂ）に示したように、回転軸１３１Ｓをシャフト２９の後側に位置させることにより、アイドルギヤ１２６のギヤ部１２６Ｇをピックアップローラ２１のギヤ部２１Ｇと噛み合わせて駆動力を伝達することができる。以下、このときのアイドルギヤ１２６の位置を、この実施の形態における伝達位置と呼ぶ。このとき回転軸１３１Ｓの中心点１３１Ｑは、第１の実施の形態における回転軸２６Ｘの中心点２６Ｑと同様、シャフト２８の中心点２８Ｑ及びシャフト２９の中心点２９Ｑを結ぶ仮想的な直線Ｌ１よりも上側に位置する。
【００７６】
このように用紙繰出部１０５は、用紙Ｐの搬送路の近傍に複数のローラを配置しており、また揺動ホルダ１３１によりアイドルギヤ１２６を自在に回転可能とし、且つシャフト２９を中心に回転する方向へ移動し得るように支持している。
【００７７】
［２−２．アイドルギヤの噛み合い］
次に、用紙繰出部１０５における、アイドルギヤ１２６のギヤ部１２６Ｇと、フィードローラ２２のギヤ部２２Ｇ及びピックアップローラ２１のギヤ部２１Ｇとの噛み合いについて説明する。
【００７８】
図５（Ｂ）に示したように、アイドルギヤ１２６は、伝達位置にあるときにギヤ部１２６Ｇをフィードローラ２２のギヤ部２２Ｇ及びピックアップローラ２１のギヤ部２１Ｇの双方にそれぞれ噛み合わせている。このため用紙繰出部１０５は、図示しないモータからフィードローラ２２のギヤ部２２Ｇへ駆動力が伝達されると、この駆動力をギヤ部１２６Ｇ及びギヤ部２１Ｇへ順次伝達する。
【００７９】
このとき用紙繰出部１０５は、図５（Ｂ）に示したように、フィードローラ２２を矢印Ｒ１方向へ回転させ、アイドルギヤ１２６を矢印Ｒ２方向へ回転させ、さらにピックアップローラ２１を矢印Ｒ１方向へ回転させる。これにより用紙繰出部１０５は、第１の実施の形態と同様、用紙Ｐに対し、ピックアップローラ２１及びフィードローラ２２により、それぞれ前斜め上方向へ向かう力を加えることができる。
【００８０】
また用紙繰出部１０５において用紙Ｐに撓みが生じた場合、図５（Ａ）と対応する図７（Ａ）に示すように、当該用紙Ｐにおける撓み部分の上端がアイドルギヤ１２６におけるローラ部１２６Ｒの下端近傍に当接し、当該アイドルギヤ１２６に上方向へ向かう力を加える。このときアイドルギヤ１２６は、揺動ホルダ１３１がシャフト２９を中心に回転することにより、前斜め上方へ持ち上げられ、図７（Ｂ）に示すように、ギヤ部１２６Ｇとピックアップローラ２１のギヤ部２１Ｇとの噛合を解除し、当該ギヤ部２１Ｇに対し駆動力を伝達しなくなる。
【００８１】
すなわち用紙繰出部１０５は、アイドルギヤ１２６のローラ部１２６Ｒ、揺動ホルダ１３１及びシャフト２９挿通孔２５Ｈ（以下これらをまとめて伝達解除部とも呼ぶ）により、用紙Ｐの撓みに応じて、ギヤ部１２６Ｇからピックアップローラ２１のギヤ部２１Ｇへの駆動力の伝達を解除する。
【００８２】
そうするとピックアップローラ２１は、駆動力が伝達されなくなるために回転を止め、用紙Ｐに対し搬送力を加えなくなる。このときフィードローラ２２は、モータから駆動力が伝達され続けているため、矢印Ｒ１方向への回転を継続し、用紙Ｐに対し搬送力を加え続ける。すなわち用紙繰出部１０５は、第１の実施の形態と同様、ピックアップローラ２１の回転を止める一方、フィードローラ２２を回転させ続けることで、用紙Ｐの撓みを縮小させていく。
【００８３】
また持ち上げられたアイドルギヤ１２６は、フィードローラ２２のギヤ部２２Ｇからギヤ部１２６Ｇに対し、常に後下方向へ向かう駆動力が伝達される。ここでアイドルギヤ１２６は、ばね１３２（図６）の作用によりストッパ１３３に常に押し付けられているため、回転する際に摩擦が生じ、この摩擦により回転が抑制され、駆動力の一部を揺動ホルダ１３１全体に伝達することになる。
【００８４】
すなわち揺動ホルダ１３１は、シャフト２９を中心にアイドルギヤ１２６と共に矢印Ｒ１方向へ回転しようとする力が作用し、これによりアイドルギヤ１２６を後下方向へ、すなわち伝達位置に近づける方向へ付勢する。またアイドルギヤ１２６には、第１の実施の形態と同様に重力も作用する。このためアイドルギヤ１２６は、用紙Ｐの撓みが縮小していくと、これらの力の作用により、伝達位置に近づいていく。
【００８５】
やがて用紙繰出部１０５は、用紙Ｐの撓みが十分に小さくなると、アイドルギヤ１２６を伝達位置（図５）まで戻し、ギヤ部１２６Ｇをピックアップローラ２１のギヤ部２１Ｇに再び噛み合わせる。これにより用紙繰出部１０５は、第１の実施の形態と同様、ギヤ部１２６Ｇからギヤ部２１Ｇへの駆動力の伝達を再開し、ピックアップローラ２１の回転を再開させる。
【００８６】
このように用紙繰出部１０５は、用紙Ｐに撓みが発生した場合、この用紙Ｐの撓み部分によってアイドルギヤ１２６を伝達位置から持ち上げ、ギヤ部１２６Ｇとピックアップローラ２１のギヤ部２１Ｇとの噛合を解除するようになっている。
【００８７】
［２−３．動作及び効果］
以上の構成において、第２の実施の形態による画像形成装置１０１の用紙繰出部１０５は、フィードローラ２２からピックアップローラ２１へ駆動力を伝達するアイドルギヤ１２６を揺動ホルダ１３１によりシャフト２９を中心として回転可能に保持し、伝達位置から回転した場合に、ピックアップローラ２１に対する駆動力の伝達を解除するようにした。
【００８８】
このため用紙繰出部１０５は、用紙Ｐに撓みが生じると、第１の実施の形態と同様、この撓み部分によりアイドルギヤ１２６を伝達位置から上方へ持ち上げさせ、ピックアップローラ２１への駆動力の伝達を中断することができる。これにより用紙繰出部１０５は、やはり第１の実施の形態と同様、用紙Ｐに一時的に撓みが生じたとしても、これを随時解消することができるので、当該用紙Ｐの皺や折れ等の発生、或いは用紙Ｐの詰まり等を未然に回避でき、当該用紙Ｐを安定的に繰り出し、搬送することができる。
【００８９】
特に用紙繰出部１０５は、シャフト２９を中心として揺動ホルダ１３１を回転させ得るように構成したことにより、アイドルギヤ１２６の位置に拘わらず、そのギヤ部１２６Ｇとフィードローラ２２のギヤ部２２Ｇとを常に適切に噛み合った状態に維持できる。このため用紙繰出部１０５は、用紙Ｐの撓みによりアイドルギヤ１２６が大きく持ち上げられた場合であっても、当該アイドルギヤ１２６に対し常に十分な駆動力を伝達することができる。
【００９０】
また用紙繰出部１０５は、ばね１３２によりアイドルギヤ１２６をストッパ１３３に押し付けることにより、アイドルギヤ１２６が回転軸１３１Ｓを中心に回転する際に、当該ストッパ１３３との間に摩擦を生じさせるようにした。このため用紙繰出部１０５は、フィードローラ２２のギヤ部２２Ｇからアイドルギヤ１２６のギヤ部１２６Ｇに駆動力を伝達した際に、シャフト２９を中心に揺動ホルダ１３１ごと矢印Ｒ１方向（図５）へ、すなわちアイドルギヤ１２６を伝達位置へ戻す方向へ、力を作用させることができる。これを換言すれば、用紙繰出部１０５は、伝達位置から前上方へ持ち上げられピックアップローラ２１のギヤ部２１Ｇと噛み合っていないギヤ部１２６Ｇを、その位置で無駄に空回りさせ続けることを回避できる。
【００９１】
また揺動ホルダ１３１は、孔部１３１Ｈにシャフト２９が挿通されている。このため揺動ホルダ１３１は、シャフト２９が矢印Ｒ１方向（図５）に回転した場合、孔部１３１Ｈとこのシャフト２９との間に作用する摩擦により、僅かながらも、矢印Ｒ１方向に付勢される。
【００９２】
すなわちアイドルギヤ１２６は、伝達位置から持ち上げられた場合、第１の実施の形態と同様の自重に加えて、ギヤ部２２Ｇからギヤ部１２６Ｇに加えられる駆動力に基づく力と、シャフト２９と孔部１３１Ｈとの間に作用する摩擦力による力とが作用する。これによりアイドルギヤ１２６は、持ち上げられた状態において第１の実施の形態よりも大きな力が加えられることで、ギヤ部１２６Ｇをピックアップローラ２１のギヤ部２１Ｇに対し円滑に噛み合わせることができる。
【００９３】
その他の点についても、第２の実施の形態による用紙繰出部１０５は、第１の実施の形態による用紙繰出部５と同様の作用効果を奏し得る。
【００９４】
以上の構成によれば、第２の実施の形態による画像形成装置１０１の用紙繰出部１０５は、用紙Ｐに撓みが生じた場合、この撓み部分によりアイドルギヤ１２６を伝達位置から前上方へ持ち上げさせ、ピックアップローラ２１への駆動力の伝達を中断する。これにより用紙繰出部１０５は、上流側のピックアップローラ２１の回転を停止させると共に下流側のフィードローラ２２の回転を継続することで、用紙Ｐの撓みを解消でき、当該用紙Ｐの破損や詰まりを回避して安定的に繰り出すことができる。
【００９５】
［３．第３の実施の形態］
第３の実施の形態による画像形成装置２０１（図１）は、第１の実施の形態による画像形成装置１と比較して、用紙繰出部５に変わる用紙繰出部２０５を有する点において相違するものの、他の点については同様に構成されている。
【００９６】
［３−１．用紙繰出部の構成］
用紙繰出部２０５は、図２及び図３と対応する図８及び図９に示すように、用紙繰出部５と比較して、当接ホルダ２３０が追加された点、及び２個の支持アーム２５同士の間隔がやや拡大されている点において相違するものの、他の部分については同様に構成されている。
【００９７】
当接ホルダ２３０は、当接部２３１、２本の腕部２３２及び２個の突起部２３３により構成されている。当接部２３１は、中心軸を左右方向に沿わせた円柱状に形成されている。当接部２３１の外径は、アイドルギヤ２６の回転軸２６Ｘやシャフト２９の外径と同程度となっている。また当接部２３１における左右方向の長さは、アイドルギヤ２６におけるギヤ部２６Ｇ及びローラ部２６Ｒの厚さの加算値よりも僅かに長くなっている。
【００９８】
当接部２３１の両端には、腕部２３２がそれぞれ上方へ向けて延設されている。換言すれば、２本の腕部２３２は、それぞれの下端において当接部２３１により互いに連結されている。腕部２３２は、上下方向に細長い角柱状に形成されており、その下端を当接部２３１の下端と揃えている。また腕部２３２の下端近傍は、いわゆる丸め処理が施されており、当接部２３１における下側の円周部分と連続する半円周形状となっている。さらに腕部２３２の上端近傍も、下端近傍とほぼ上下対称となるような丸め処理が施されている。
【００９９】
また腕部２３２における上下方向の中央寄りもやや上側には、左右方向に貫通する孔部２３２Ｈが穿設されている。孔部２３２Ｈを左右方向から見た形状は、上下方向にやや長い長円状となっている。孔部２３２Ｈにおける前後方向の内径、すなわち長孔の短径は、アイドルギヤ２６における回転軸２６Ｘの外径よりも僅かに大きくなっている。また孔部２３２Ｈの中心から当接部２３１の上端までの距離は、アイドルギヤ２６における回転軸２６Ｘの中心からローラ部２６Ｒの最外周までの間隔よりも短くなっている。
【０１００】
各腕部２３２における外側の側面、すなわち下端において当接部２３１と接続された面と反対の側面における上端近傍には、突起部２３３が突設されている。突起部２３３は、腕部２３２から左右の外方へそれぞれ突出した短い柱状でなり、左右方向から見て上下に長い長円状となっている。この突起部２３３における前後方向の幅は、支持アーム２５の挿通孔２５Ｈにおける前後方向の幅よりも僅かに小さくなっている。
【０１０１】
この当接ホルダ２３０は、アイドルギヤ２６の左右に突出した回転軸２６Ｘを左右の腕部２３２における各孔部２３２Ｈにそれぞれ挿通させることで、当該アイドルギヤ２６を回転可能に、且つ上下方向に移動可能に保持する。さらに当接ホルダ２３０は、２本の支持アーム２５の間に挟まれ、左右の突起部２３３及びアイドルギヤ２６の回転軸２６Ｘを、挿通孔２５Ｈにそれぞれ挿通させる。
【０１０２】
かかる構成により当接ホルダ２３０は、アイドルギヤ２６を自在に回転させることができ、また突起部２３３及びアイドルギヤ２６の回転軸２６Ｘを挿通孔２５Ｈ内に位置させる範囲内で、上下方向へ自在に移動することができる。
【０１０３】
アイドルギヤ２６は、重力の作用により下降し、図８（Ｂ）に示すように、ギヤ部２６Ｇをフィードローラ２２のギヤ部２２Ｇ及びピックアップローラ２１のギヤ部２１Ｇとそれぞれ噛み合わせた位置に止まる。以下、このときのアイドルギヤ２６の位置をこの実施の形態における伝達位置と呼ぶ。また当接ホルダ２３０は、やはり自重の作用により下降するものの、孔部２３２Ｈの上端がアイドルギヤ２６の回転軸２６Ｘに当接する位置に止まる。このとき当接部２３１は、アイドルギヤ２６のローラ部２６Ｒからやや離れている。
【０１０４】
またアイドルギヤ２６が伝達位置にあるときの回転軸２６Ｘの中心点２６Ｑは、第１の実施の形態と同様、シャフト２８の中心点２８Ｑ及びシャフト２９の中心点２９Ｑを結ぶ仮想的な直線Ｌ１よりも上側に位置する。なお説明の都合上、図８（Ｂ）では、当接部２３１を断面により表している。
【０１０５】
［３−２．アイドルギヤの噛み合い］
次に、用紙繰出部２０５における、アイドルギヤ２６のギヤ部２６Ｇと、フィードローラ２２のギヤ部２２Ｇ及びピックアップローラ２１のギヤ部２１Ｇとの噛み合いについて説明する。
【０１０６】
図８（Ｂ）に示したように、アイドルギヤ２６は、伝達位置にある場合、第１の実施の形態と同様、フィードローラ２２のギヤ部２２Ｇからギヤ部２６Ｇに伝達される駆動力をピックアップローラ２１のギヤ部２１Ｇへ伝達することで、フィードローラ２２を回転させる。
【０１０７】
また用紙繰出部２０５において用紙Ｐに撓みが生じた場合、図８（Ａ）と対応する図１０（Ａ）に示すように、当該用紙Ｐにおける撓み部分の上端が当接ホルダ２３０の当接部２３１に当接し、まず当該当接ホルダ２３０を上方へ持ち上げる。当接ホルダ２３０は、図１０（Ｂ）に示すように、当接部２３１の上側をアイドルギヤ２６のローラ部２６Ｒにおける下端部分に当接させることで、当該アイドルギヤ２６に上方向へ向かう力を加えて持ち上げる。このときアイドルギヤ２６は、ギヤ部２６Ｇとピックアップローラ２１のギヤ部２１Ｇとの噛合を解除し、当該ギヤ部２１Ｇに対し駆動力を伝達しなくなる。
【０１０８】
すなわち用紙繰出部２０５は、当接ホルダ２３０、支持アーム２５及び挿通孔２５Ｈ（以下これらをまとめて伝達解除部とも呼ぶ）により、用紙Ｐの撓みに応じて、ギヤ部２６Ｇからピックアップローラ２１のギヤ部２１Ｇへの駆動力の伝達を解除する。
【０１０９】
そうするとピックアップローラ２１は、駆動力が伝達されなくなるために回転を止め、用紙Ｐに対し搬送力を加えなくなる。このときフィードローラ２２は、モータから駆動力が伝達され続けているため、回転を継続し、用紙Ｐに対し搬送力を加え続ける。すなわち用紙繰出部２０５は、第１及び第２の実施の形態と同様、ピックアップローラ２１の回転を止める一方、フィードローラ２２を回転させ続けることで、用紙Ｐの撓みを縮小させていく。これに伴い用紙繰出部２０５は、用紙Ｐにより持ち上げられている当接ホルダ２３０及びアイドルギヤ２６を下降させ、伝達位置に近づけていく。
【０１１０】
やがて用紙繰出部２０５は、用紙Ｐの撓みが十分に小さくなると、アイドルギヤ２６を伝達位置（図８）まで下降させ、ギヤ部２６Ｇをピックアップローラ２１のギヤ部２１Ｇに再び噛み合わせる。これにより用紙繰出部２０５は、ギヤ部２６Ｇからギヤ部２１Ｇへの駆動力の伝達を再開し、ピックアップローラ２１の回転を再開させる。
【０１１１】
このように用紙繰出部２０５は、用紙Ｐに撓みが発生した場合、この用紙Ｐの撓み部分によって当接ホルダ２３０を介してアイドルギヤ２６を伝達位置から持ち上げ、ギヤ部２６Ｇとピックアップローラ２１のギヤ部２１Ｇとの噛合を解除するようになっている。
【０１１２】
［３−３．動作及び効果］
以上の構成において、第３の実施の形態による画像形成装置２０１の用紙繰出部２０５は、フィードローラ２２からピックアップローラ２１へ駆動力を伝達するアイドルギヤ２６を当接ホルダ２３０により回転可能に保持する。また用紙繰出部２０５は、当接ホルダ２３０を介してアイドルギヤ２６が伝達位置から持ち上げられた場合に、ピックアップローラ２１に対する駆動力の伝達を解除するようにした。
【０１１３】
このため用紙繰出部２０５は、用紙Ｐに撓みが生じると、第１の実施の形態と同様、この撓み部分によりアイドルギヤ２６を伝達位置から上方へ持ち上げさせ、ピックアップローラ２１への駆動力の伝達を中断することができる。これにより用紙繰出部２０５は、やはり第１の実施の形態と同様、用紙Ｐに一時的に撓みが生じたとしても、これを随時解消することができるので、当該用紙Ｐの皺や折れ等の発生、或いは用紙Ｐの詰まり等を未然に回避でき、当該用紙Ｐを安定的に繰り出し、搬送することができる。
【０１１４】
特に用紙繰出部２０５は、アイドルギヤ２６におけるローラ部２６Ｒの下端よりも下方に当接ホルダ２３０の当接部２３１を位置させ、当該当接部２３１を用紙Ｐの撓み部分に当接させるようにした。このため用紙繰出部２０５は、アイドルギヤ２６の周囲に十分な空間を確保できず、ローラ部２６Ｒの径を大きくできない場合であっても、用紙Ｐの撓みが比較的小さい段階から当接部２３１に当接させてアイドルギヤ２６を持ち上げさせることができる。
【０１１５】
また用紙繰出部２０５は、アイドルギヤ２６におけるギヤ部２６Ｇの真下を左右方向に横切るように当接部２３１を配置した。このため用紙繰出部２０５は、用紙Ｐの撓み部分とギヤ部２６Ｇとの接触を回避し、当該ギヤ部２６Ｇによる当該用紙Ｐの汚損や損傷を未然に防止できる。
【０１１６】
さらに当接ホルダ２３０は、突起部２３３を左右方向から見て長円状に形成し、さらにアイドルギヤ２６の回転軸２６Ｘを支持アーム２５の挿通孔２５Ｈに挿通させるようにした。これにより用紙繰出部２０５は、当接ホルダ２３０の回転を防止でき、当接部２３１を常にアイドルギヤ２６の真下、すなわち回転軸２６Ｘの真下に位置させ、用紙Ｐの撓みにより加えられる上方向へ向かう力を逃がすことなく受け止めることができる。
【０１１７】
その他の点についても、第３の実施の形態による用紙繰出部２０５は、第１の実施の形態による用紙繰出部５と同様の作用効果を奏し得る。
【０１１８】
以上の構成によれば、第３の実施の形態による画像形成装置２０１の用紙繰出部２０５は、用紙Ｐに撓みが生じた場合、この撓み部分により当接ホルダ２３０及びアイドルギヤ２６を伝達位置から上方へ持ち上げさせ、ピックアップローラ２１への駆動力の伝達を中断する。これにより用紙繰出部２０５は、上流側のピックアップローラ２１の回転を停止させると共に下流側のフィードローラ２２の回転を継続することで、用紙Ｐの撓みを解消でき、当該用紙Ｐの破損や詰まりを回避して安定的に繰り出すことができる。
【０１１９】
［４．他の実施の形態］
なお上述した第１の実施の形態においては、フィードローラ２２のギヤ部２２Ｇとピックアップローラ２１のギヤ部２１Ｇとの間に、アイドルギヤ２６のギヤ部２６Ｇのみを介在させ、用紙Ｐの撓みによりこのアイドルギヤ２６を持ち上げて駆動力の伝達を解除する場合について述べた。しかしながら本発明はこれに限らず、例えばフィードローラ２２のギヤ部２２Ｇとピックアップローラ２１のギヤ部２１Ｇとの間に複数個のギヤを介在させ、用紙Ｐの撓みによりこれらのギヤの一部または全部を持ち上げるようにしても良い。第２及び第３の実施の形態についても同様である。
【０１２０】
また上述した第１の実施の形態においては、図示しないモータから駆動力の供給を受けるフィードローラ２２から、アイドルギヤ２６を介してピックアップローラ２１に駆動力を伝達する場合について述べた。しかしながら本発明はこれに限らず、例えばフィードローラ２２に駆動力を供給するモータとは別のモータからギヤを介してピックアップローラ２１に駆動力を伝達するようにしても良い。この場合、ピックアップローラ２１に駆動力を伝達するギヤをアイドルギヤ２６と同様に構成し、用紙Ｐの撓みにより伝達位置から上方へ持ち上げられることで駆動力の伝達を中断すれば良い。第２及び第３の実施の形態についても同様である。
【０１２１】
さらに上述した第１の実施の形態においては、アイドルギヤ２６に対する重力の作用により、持ち上げられたアイドルギヤ２６を伝達位置に戻す場合について述べた。しかしながら本発明はこれに限らず、例えばばね等の付勢部材によりアイドルギヤ２６を下方向に付勢しても良い。この場合、ばねの付勢力を比較的弱く設定することで、用紙Ｐの撓みによりアイドルギヤ２６を伝達位置から上方へ持ち上げ得るようにすれば良い。第２及び第３の実施の形態についても同様である。
【０１２２】
さらに上述した第１の実施の形態においては、用紙Ｐの搬送路の上側にアイドルギヤ２６を配置し、当該用紙Ｐを上方向へ撓ませて当該アイドルギヤ２６を伝達位置から上方へ持ち上げることでギヤ同士の噛合を解除する場合について述べた。しかしながら本発明はこれに限らず、例えば用紙Ｐの搬送路の下側にアイドルギヤ２６を配置し、当該用紙Ｐを下方向へ撓ませて当該アイドルギヤ２６を伝達位置から下方へ押し下げることでギヤ同士の噛合を解除するようにしても良い。或いは、搬送路が上下方向等の種々の方向に沿って形成される箇所において、当該搬送路の近傍にアイドルギヤ２６を配置し、用紙Ｐの撓みにより当該アイドルギヤ２６を前後方向などの搬送路から遠ざける方向へ移動させてギヤ同士の噛合を解除させても良い。これらの場合、アイドルギヤ２６は、ばね等の付勢部材により搬送路へ向けて、すなわち伝達位置へ向けて付勢されていれば良い。第２及び第３の実施の形態についても同様である。
【０１２３】
さらに上述した第１の実施の形態においては、支持アーム２５に上下方向に沿った長孔でなる挿通孔２５Ｈを設け、この挿通孔２５Ｈに沿って回転軸２６Ｘを移動させることでアイドルギヤ２６を上下方向へ移動させるようにした場合について述べた。しかしながら本発明はこれに限らず、例えば所定の回動軸を中心としてアイドルギヤ２６を円弧状に移動させるようにし、或いは周知のリンク機構を利用してアイドルギヤ２６を所定の曲線に沿って移動させる等、種々の手法により種々の線に沿ってアイドルギヤ２６を移動させても良い。要は、伝達位置においてギヤ部２６Ｇからピックアップローラ２１のギヤ部２１Ｇへ駆動力を伝達でき、用紙Ｐの撓みによりアイドルギヤ２６をこの伝達位置から移動させて駆動力の伝達を解除できれば良い。第３の実施の形態についても同様である。
【０１２４】
さらに上述した第１の実施の形態においては、アイドルギヤ２６を用紙Ｐの搬送路から離れる方向である上方向へ移動させることによりギヤ同士の噛合を解除させる場合について述べた。しかしながら本発明はこれに限らず、例えば用紙Ｐの撓みによる上方向へ向かう力を、「てこ」のように支点を中心に回動する部材によって左右方向や前後方向、或いは斜め方向へ向かう力に変換することで、用紙Ｐの紙面と平行な方向等、種々の方向へアイドルギヤ２６を移動させてギヤ同士の噛合を解除しても良い。この場合、支持アーム２５に代わる支持部材によりアイドルギヤ２６を伝達位置から離れる方向へ移動し得るように支持し、第２の実施の形態におけるばね１３２のような付勢部材により伝達位置へ向けて付勢すれば良い。
【０１２５】
さらに上述した第１の実施の形態においては、アイドルギヤ２６が伝達位置にあるときに、回転軸２６Ｘの中心点２６Ｑがシャフト２８の中心点２８Ｑ及びシャフト２９の中心点２９Ｑを結ぶ仮想的な直線Ｌ１よりも上側に位置するようにした場合について述べた。しかしながら本発明はこれに限らず、例えばアイドルギヤ２６が伝達位置にあるときに、中心点２６Ｑが直線Ｌ１上に位置しても良い。この場合、例えば支持アーム２５における挿通孔２５Ｈの下端をこの伝達位置にある回転軸２６Ｘに合わせて形成することにより、アイドルギヤ２６がフィードローラ２２からの駆動力により下方へ逃げてしまうこと、すなわちピックアップローラ２１のギヤ部２１Ｇとギヤ部２６Ｇとの噛合を解除してしまうことを防止できれば良い。第２及び第３の実施の形態についても同様である。
【０１２６】
さらに上述した第２の実施の形態においては、ばね１３２によりアイドルギヤ１２６をストッパ１３３に付勢する場合について述べた。しかしながら本発明はこれに限らず、例えばアイドルギヤ１２６と回転軸１３１Ｓとの間の摩擦が比較的大きい場合等に、ばね１３２を省略しても良い。
【０１２７】
さらに上述した第３の実施の形態においては、アイドルギヤ２６にギヤ部２６Ｇよりも径が大きいローラ部２６Ｒを設ける場合について述べた。しかしながら本発明はこれに限らず、例えばギヤ部２６Ｇよりも径が小さいローラ部２６Ｒを当該ギヤ部２６Ｇの一方または両方に設けても良く、或いはアイドルギヤ２６からローラ部２６Ｒを省略しても良い。すなわち第３の実施の形態においては、当接ホルダ２３０が用紙Ｐと当接するため、ギヤ部２６Ｇと用紙Ｐとの当接を考慮する必要が無く、当該ギヤ部２６Ｇが当接ホルダ２３０の腕部２３２に引っ掛かることなく円滑に回転できれば良い。この場合、孔部２３２Ｈの下端と当接部２３１との間隔をギヤ部２６Ｇの外径よりも長くすることにより、当該ギヤ部２６Ｇが当接部２３１に当接しないようにすれば良い。
【０１２８】
さらに上述した第３の実施の形態においては、アイドルギヤ２６の回転軸２６Ｘを、当接ホルダ２３０の腕部２３２に形成された孔部２３２Ｈに加えて、支持アーム２５の挿通孔２５Ｈにも挿通させる場合について述べた。しかしながら本発明はこれに限らず、例えば回転軸２６Ｘを短く構成することで、孔部２３２Ｈにのみ挿通させ、支持アーム２５には挿通させないようにしても良い。
【０１２９】
さらに上述した第３の実施の形態においては、当接ホルダ２３０の腕部２３２に設ける孔部２３２Ｈを上下方向に長い長孔状とし、当該孔部２３２Ｈ内でアイドルギヤ２６の回転軸２６Ｘを上下方向へ移動させ得るように、すなわち当接ホルダ２３０に対しアイドルギヤ２６を上下方向へ移動可能とした場合について述べた。しかしながら本発明はこれに限らず、例えば孔部２３２Ｈを丸孔とすることにより、当接ホルダ２３０に対しアイドルギヤ２６を上下方向へ移動させず、用紙Ｐの撓みにより両者を一体として上下方向へ移動させるようにしても良い。
【０１３０】
さらに上述した第１の実施の形態においては、給紙カセット３に収納されている用紙Ｐを分離して繰り出す用紙繰出部５に本発明を適用する場合について述べた。しかしながら本発明はこれに限らず、例えば下搬送部６や上搬送部１５等のように、複数組のローラ対の間で用紙Ｐを受け渡すことにより搬送する種々の箇所に適用しても良い。第２及び第３の実施の形態についても同様である。
【０１３１】
さらに上述した第１の実施の形態においては、用紙Ｐの撓みにより生じる力をアイドルギヤ２６に伝達することで、当該アイドルギヤ２６を伝達位置から移動させる場合について述べた。しかしながら本発明はこれに限らず、例えば光学センサ等により用紙Ｐの撓みを検知し、アクチュエータ等によりアイドルギヤ２６を伝達位置から移動させるようにしても良い。第２及び第３の実施の形態についても同様である。
【０１３２】
さらに上述した第１の実施の形態においては、媒体としての用紙Ｐを内部で搬送しながら画像を形成する画像形成装置１に本発明を適用した場合について述べた。しかしながら本発明はこれに限らず、例えば紙幣や葉書、或いは切符や入場券等、可撓性を有する種々の媒体を搬送する種々の装置に本発明を適用しても良い。
【０１３３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１３４】
さらに上述した第１の実施の形態においては、第１ローラとしてのピックアップローラ２１と、第２ローラとしてのフィードローラ２２と、回転伝達部としてのギヤ部２６Ｇと、伝達解除部としてのローラ部２６Ｒ、回転軸２６Ｘ、支持アーム２５及び挿通孔２５Ｈとによって媒体搬送装置としての用紙繰出部５を構成する場合について述べた。しかしながら本発明はこれに限らず、その他種々の構成でなる第１ローラと、第２ローラと、回転伝達部と、伝達解除部とによって媒体搬送装置を構成しても良い。
【産業上の利用可能性】
【０１３５】
本発明は、可撓性を有する用紙を集積された用紙カセットから繰り出し、搬送して画像を形成する画像形成装置でも利用できる。
【符号の説明】
【０１３６】
１、１０１、２０１……画像形成装置、３……給紙カセット、３Ｂ……用紙載置板、５、１０５、２０５……用紙繰出部、６……下搬送部、１１……画像形成部、１４……定着部、１５……上搬送部、２１……ピックアップローラ、２１Ｇ……ギヤ部、２１Ｈ……中心孔、２１Ｒ……ローラ部、２２……フィードローラ、２２Ｇ……ギヤ部、２２Ｈ……中心孔、２２Ｒ……ローラ部、２３……リタードローラ、２４……フレーム、２５……支持アーム、２５Ｈ……挿通孔、２６、１２６……アイドルギヤ、２６Ｇ、１２６Ｇ……ギヤ部、２６Ｑ……中心点、２６Ｒ、１２６Ｒ……ローラ部、２６Ｘ……回転軸、２７……用紙ガイド、２８……シャフト、２８Ｑ……中心点、２９……シャフト、２９Ｑ……中心点、１２６Ｈ……中心孔、１３１……揺動ホルダ、１３１Ｂ……基部、１３１Ｈ……孔部、１３１Ｑ……中心点、１３１Ｓ……回転軸、１３２……ばね、１３３……ストッパ、２３０……当接ホルダ、２３１……当接部、２３２……腕部、２３２Ｈ……孔部、２３３……突起部、Ｐ……用紙。
【図１】
0006293029.tif 000002
【図２】
0006293029.tif 000003
【図３】
0006293029.tif 000004
【図４】
0006293029.tif 000005
【図５】
0006293029.tif 000006
【図６】
0006293029.tif 000007
【図７】
0006293029.tif 000008
【図８】
0006293029.tif 000009
【図９】
0006293029.tif 000010
【図１０】
0006293029.tif 000011